(57)【要約】【課題】簡単な方法でレジオネラ菌の汚染を防ぐことができる共同浴場などの大型の浴槽を提供すること。【解決手段】少なくとも片側表面に複数個の細長状の断熱性部材を適度の間隔をもって配設したプレートコイル型加熱装置を、該部材の長手方向が浴槽平面に対してほぼ垂直になるように浴槽側面に設置した大型浴槽により上記課題を解決することができる。【選択図】  図１
2004222958.tif 000002
【特許請求の範囲】
【請求項１】
大型浴槽において、少なくとも片側表面に複数個の細長状の断熱性部材を適度の間隔をもって配設したプレートコイル型加熱装置を、該部材の長手方向が浴槽平面に対してほぼ垂直になるように浴槽側面に設置したことを特徴とする大型浴槽。
【請求項２】
該浴槽に浴槽水が常時オーバーフローするように供給され、浴槽水の供給量は浴槽の液面レベルを検出して制御される請求項１記載の大型浴槽。
【請求項３】
該プレートコイル型加熱装置の最大辺の長さが浴槽外周長の２０％以上である請求項１又は２記載の大型浴槽。
【請求項４】
該浴槽の温度がプレートコイル型加熱装置を流れる温水の流量を検出して制御される請求項１〜３いずれかに記載の大型浴槽。
【発明の詳細な説明】
【０００１】
【発明の属する技術分野】
本発明は大型浴槽に関する。さらに詳しくは、少なくとも片側表面に複数個の細長状の断熱性部材を適度の間隔をもって配設したプレートコイル型加熱装置を、該部材の長手方向が浴槽平面に対してほぼ垂直になるように浴槽側面に設置した大型浴槽に関する。
【０００２】
【従来の技術】
従来、ゴルフ場、娯楽施設、健康ランドなどで２４時間風呂が実施されている。２４時間風呂は何時でも入浴できる点で便利であり、人気が高い。しかしながら、２４時間風呂など長期に浴槽水（湯）が滞留する施設では致死性の高いレジオネラ菌に感染する危険性が指摘されており、危険を回避するための各種の対策がなされている。
【０００３】
一般に、２４時間風呂においては浴槽内の水を捨てずに循環させ、浄化しながら何日にもわたって使用されるものであり、上記対策としては、これまで、循環水に塩素による殺菌、膜などによる濾過、紫外線照射による殺菌、オゾンによる殺菌、銀や銅などの金属イオンによる殺菌などを施すことが多く提案されている。その他の最近の例としては、例えば特開平９−４７７５６号公報及び特開平１０−２２０８７１号公報に加熱による殺菌方法が開示されており、特開平１０−２１６７３３号公報に天然腐植物質を利用したレジオネラ菌の汚染防止材が開示され、特開２０００−１４７５９公報に、フミン物質含有海洋性珪藻土を使用してレジオネラ菌の増殖を抑制する方法が開示され、特開２００１−２３２３６０公報には、超音波を照射して浴槽水を浄化する方法が開示されている。
【０００４】
しかしながら、これらはいずれも循環使用される浴槽水を対象にした解決法であり、かなり煩雑な手段や特殊な手段を用いたりするものであったり、メンテナンスに高い費用がかかるものである。一方、塩素を使用した殺菌方法は簡単ではあるが、塩素臭の不快さがあることに加え、配管が短期間で腐食するため、必ずしも十分なメンテナンスがなされていない状況にある。
【０００５】
【発明が解決しようとする課題】
以上述べたように、従来の２４時間風呂においては、設備コストが格段に安いため浴槽水循環方式で実施されており、したがって、かかる循環浴槽水に対する対策を検討したものが殆どである。レジオネラ菌による汚染を防ぐためには、浴槽の方式自体の面から根本的に検討することが重要であるが、このような観点から検討された例は見当たらない。したがって、本発明の目的は、簡単な方法により、低コストでレジオネラ菌の汚染を防ぐことができる共同浴場などの大型の浴槽を提供することにある。
【０００６】
【課題を解決するための手段】
本発明者は、上記目的を達成するため鋭意検討を重ね、従来コスト的な面で見向きもされなかった浴槽水の使い捨て方式について検討したところ、意外にも、浴槽水を使い捨てにしても、加熱装置を考慮すれば、レジオネラ菌の汚染を防ぐことができるだけでなく、むしろコスト的にも有利であることを見出し、本発明に至った。すなわち、本発明は、大型浴槽において、少なくとも片側表面に複数個の細長状の断熱性部材を適度の間隔をもって配設したプレートコイル型加熱装置を、該部材の長手方向が浴槽平面に対してほぼ垂直になるように浴槽側面に設置したことを特徴とする大型浴槽である。
【０００７】
【発明の実施の形態】
本発明の特徴は、浴槽水を使い捨てにすること、及び浴槽内に大型の浴槽に適した加熱装置を設置することにある。本発明における浴槽は、大型浴槽で、通常５人程度以上の入浴が可能な浴槽を対象とするものであり、浴槽水は従来の２４時間風呂と異なり、循環使用せずに使い捨てとする。
【０００８】
本発明においては、浴槽内側面にプレートコイル型加熱装置を取り付ける必要がある。プレートコイル型加熱装置とは、図８に示すように、フラットな管を伝熱管として複数パスで使用される加熱装置であり、加熱装置全体が平板に近い形状であるため、本発明の大型浴槽に好適である。このようなプレートコイル型加熱装置は、例えば、２枚の金属板を重ね合わせ、成型加工して作製することができる。１０は温水入口、１１は温水出口である。
【０００９】
本発明で使用するプレートコイル型加熱装置は、その少なくとも片側表面に複数個の細長状の断熱性部材を適度の間隔をもって配設することが重要であり、該加熱装置は、部材の長手方向が浴槽平面に対してほぼ垂直になるように浴槽側面に設置する必要がある。かかる部材をこのように配置する最大のメリットは、加熱することによって生じる自然対流を強化する点にある。各部材を配設する間隔は限定されるものではないが、あまり小さくても、またあまり大きくても自然対流を強化する効果が低下する傾向にあるので、５ｃｍ〜１０ｃｍ程度で実施される。部材の材質は木、プラスチック、被覆金属材などが使用される。
【００１０】
腐食が少なく、耐久性に優れる点で、木、プラスチックを使用するのが好ましい。これらは、ネジなどの係止材でプレートコイル型加熱装置の片側表面に固定される。部材の長さは、使用するプレートコイル型加熱装置の大きさに応じて適宜決められるが、自然対流を強化する意図から、部材の長手方向が浴槽平面に対してほぼ垂直になるように設ける必要がある。かかる部材は火傷防止の役目も兼ね備える。プレートコイル型加熱装置のもう一方の片側表面には断熱板又は断熱シートを設けるのが好ましい。
【００１１】
本発明の大型浴槽において、浴槽には浴槽水が常時オーバーフローするように供給されるので、かかる点でも浴槽を極めて清潔な状態に保つことができる。浴槽水の供給量は浴槽の液面レベルを検出して制御するように構成するのが好ましい。
【００１２】
本発明において、プレートコイル型加熱装置の最大辺の長さが浴槽外周長の２０％以上となるように設置すると均一加熱の点で好ましい。単に伝熱の点からいえば、与熱するに十分な伝熱面積を与えればよいが、大型浴槽全体を均一に加熱するのは困難である。このように、浴槽外周長の２０％以上の長さで加熱装置を取り付けることによって、大型浴槽であっても均一な加熱が可能となるのである。また、かかる加熱装置は、掃除などのメンテナンスを考えて浴槽の側面に取り付けられる。
【００１３】
プレートコイル型加熱装置には温水循環配管が接続され、温水が循環されるが、熱源として温水を使用するため、電気のようにランニングコストを高めることなく、漏電の心配もない。また、蒸気のように、ハンマーによる騒音が発生することやブラケットへの負担はなく、火傷の心配もない。温水の温度は６０℃以上とするのが好ましい。浴槽の温度はプレートコイル型加熱装置を流れる温水の流量を検出して制御するように構成するのが好ましい。本発明においては、加熱用の温水が浴槽水とは別系統で供給されるので、塩素などによる配管の腐食が大幅に低減する。
【００１４】
従来の浴循環方式では、浴槽水の加熱装置と浴槽とが離れた状態で加熱制御がなされていたため応答が悪く、また浴槽内における浴槽水の均一攪拌が不足するため、浴槽温度の管理が困難であったが、本発明においては、好ましくは、浴槽水の供給量を浴槽の液面レベルを検出して制御し、加熱装置を流れる温水の流量を検出して浴槽の温度が制御されるので、浴槽を正常な状態で管理することができる。
【００１５】
また、本発明においては、温水循環と浴槽水とが別系統であり、しかも浴槽水は常時オーバーフローしているので、殺菌設備などを使用しなくてもレジオネラ菌による感染を心配することなく入浴を楽しむことができる。浴槽水は毎日排水し、浴槽は掃除するのが望ましいのは勿論である。以下、図によって本発明をさらに詳細に説明する。
【００１６】
図１は本発明の大型浴槽を上から見た概念図であり、図１において、１は浴槽、２はプレートコイル型加熱装置、３は温水の流量を制御するための制御システムである。図１に示した制御システムは、例えば浴槽の温度を検知して温水循環量にフィードバックするＴＩＣ制御の例である。４は温水を循環するためのポンプ、５は温水に熱を与えるための熱交換器であり、６は温水循環ラインである。
【００１７】
図２は加熱装置部分をＡ−Ａで切断した平面図であり、図２において、７は断熱格子、８は取り付け具、９は断熱シートである。図３は図２における加熱装置部分をさらにＢ−Ｂで切断した平面図であり、７は断熱格子である。図４及び図５は断熱格子の例である。また、図６及び図７はプレートコイル型加熱装置の断面例を示したものである。すなわち２枚のプレートの空間部に加熱用の温水が流れるようになっている。
【００１８】
本発明の大型浴槽は次のように使用される。先ず、浴槽１に入浴に適した温度の温水を張り、温度を所定の温度、例えば４２℃に設定し、温水循環ラインにより温水を循環加熱する。浴槽には常時入浴用の浴槽水が流入し、オーバーフローする。好ましくは、浴槽水の供給量は浴槽の液面レベルを検出して制御され、加熱用の温水は例えばＴＩＣ制御により、浴槽の温度を検知して循環流量が調節される。本発明において、加熱装置は、好ましくは浴槽外周長の２０％以上の長さで取り付けられているので、大型浴槽全体を均一に加熱することができる。また、加熱用の温水は浴槽を経由することなく循環され、浴槽水は加熱用の温水とは別系統で常時新しく供給されるので、レジオネラ菌に感染する恐れもない。
【００１９】
【発明の効果】
本発明により、少なくとも片側表面に複数個の細長状の断熱性部材を適度の間隔をもって配設したプレートコイル型加熱装置を、該部材の長手方向が浴槽平面に対してほぼ垂直になるように浴槽側面に設置した大型浴槽を提供することができる。本発明の大型浴槽によれば、浴槽を正常な状態で効率よく管理することができるとともに、温水循環と浴槽水とを別系統とし、浴槽水は常時オーバーフローしているので、殺菌設備などを使用しなくてもレジオネラ菌による感染を心配することなく入浴を楽しむことができる。
【図面の簡単な説明】
【図１】本発明の大型浴槽を上から見た概念図である。
【図２】加熱装置部分をＡ−Ａで切断した立面図である。
【図３】図２における加熱装置部分をさらにＢ−Ｂで切断した平面図である。
【図４】断熱格子の例である。
【図５】断熱格子の別の例である。
【図６】プレートコイルの断面例である。
【図７】プレートコイルの別の断面例である。
【図８】プレートコイル概略図である。
【符号の説明】
１…浴槽
２…プレートコイル型加熱装置
３…制御システム
４…ポンプ
５…熱交換器
６…温水循環ライン
７…断熱格子
８…取り付け具
９…断熱シート
１０…温水入口
１１…温水出口
【図１】
2004222958.tif 000003
【図２】
2004222958.tif 000004
【図３】
2004222958.tif 000005
【図４】
2004222958.tif 000006
【図５】
2004222958.tif 000007
【図６】
2004222958.tif 000008
【図７】
2004222958.tif 000009
【図８】
2004222958.tif 000010